(57)【要約】【課題】  従来の巻取りドラムの内周面には、回転フランジを固定して、この回転フランジに駆動モータの回転を減速する減速機を嵌着して、この減速機に取付けブラケットを固着している。この取付けブラケットは、巻取りドラムの一端の軸受に前記減速機を軸受として、天井部の壁面に固定したフレームに固定する。この減速機は、巻取りドラムの軸受として開閉機を形成し、駆動モータをフレームに内蔵して、取付けブラケットを固定する時に、駆動モータと減速機に接続する構成にする。【解決手段】  巻取りドラム７は、両端に支持軸１０を備え、該支持軸１０を開口部１の両壁面２に軸着して回転可能にし、開閉機６の設置側の支持軸１０は開閉機６の駆動力を伝達する伝達軸１１として、連結手段１６を備え、開閉機６は、出力軸１２と伝達軸１１とを同心上に連結して壁面２に固定する取付けブラケット１５に固着する構成とする。【選択図】図１
2014001613.tif 000002
【特許請求の範囲】
【請求項１】
開口部を開閉する遮蔽材を備え、該遮蔽材を巻取りドラムで巻回する開閉機において、
前記巻取りドラムは、両端に支持軸を備え、該支持軸を開口部の両壁面に軸着して回転可能にし、開閉機の設置側の支持軸は開閉機の駆動力を伝達する伝達軸を備え、
前記伝達軸は、開閉機の出力軸の駆動力を連結可能にする連結手段を備え、
前記開閉機は、出力軸と伝達軸とを同心上に連結して壁面に固定する取付けブラケットに取付けていることを特徴とする開閉機の取付け構造。
【請求項２】
前記伝達軸は、巻取りドラムの端面から突出して、開閉機の出力軸を中空形状にして伝達軸と出力軸とを連結することを特徴とする請求項１記載の開閉機の取付け構造。
【請求項３】
前記伝達軸は、巻取りドラムの端面を中空形状にして、開閉機の出力軸を突出させて伝達軸と出力軸とを連結することを特徴とする請求項１記載の開閉機の取付け構造。
【請求項４】
前記連結手段は、取付けブラケットに軸着された伝達軸と開閉機の出力軸の間に介在する連結部材を備え、該連結部材は両軸心を同一方向に形成することを特徴とする請求項１記載の開閉機の取付け構造。
【請求項５】
前記取付けブラケットは、開閉機の出力軸と巻取りドラムの伝達軸とに連結部材を介在して、開閉機との螺合間の連結部材を備えることを特徴とする請求項１記載の開閉機の取付け構造。
【請求項６】
前記遮蔽材は、スラット又はシートにして、巻取りドラムで巻回させて開口部を上下動させることを特徴とする請求項１記載の開閉機の取付け構造。
【発明の詳細な説明】
【技術分野】
【０００１】  本発明は、開口部を開閉する遮蔽部材を備えた開閉機であり、この開閉機を設置するために、上下動する遮蔽部材を巻回する巻取りドラムを天井部に設置して、この巻取りドラムに駆動力を伝達する開閉機を容易に連結することができる取付け構造に関するものである。
【背景技術】
【０００２】  従来の特許文献１の開口部を開閉する開閉機では、開口部に開閉するシートを備え、このシートを巻き取る巻取りドラムを天井部に配置して、この巻取りドラムを回転する駆動部を駆動モータと減速機として巻取りドラムの軸受に内蔵して、この駆動モータの回転により、前記シートを昇降させる開閉機である。この巻取りドラムの内周面には、回転フランジを固定して、この回転フランジに駆動モータの回転を減速する減速機を嵌着して、この減速機に取付けブラケットを固着している。この取付けブラケットは、巻取りドラムの一端の軸受として前記減速機で支持し、天井部の壁面に固定したフレームに固定する。
この減速機は、巻取りドラムの軸受として開閉機を形成し、駆動モータをフレームに内蔵して、取付けブラケットを固定する時に、駆動モータと減速機に接続する構成にすることで、心出し作業を不要にして、組み付け時にも軽減することができる効果をあげている。
【先行技術文献】
【特許文献】
【０００３】
【特許文献１】  特開２００９−５７８１３号公報
【発明の概要】
【発明が解決しようとする課題】
【０００４】  この構成により、駆動モータがフレームに載置されているので、巻取りドラムと取付けブラケットを一体にして固着させることで、速く簡単に正確に設置することができるものとある。しかし、巻取りドラムを設置するには、両壁に平行に持ち上げることになり、時間を要する欠点があり、開閉機を形成するのに、内蔵された駆動モータを変速機に連結するための時間を要することになる。【０００５】  本発明では、巻取りドラムを両壁に軸着状態にして、軸着されたこの巻取りドラムの軸に開閉機の出力軸を同心軸上に嵌着するようにして、設置を速く正確に開閉装置を形成することができる開閉機の連結の構造を提供する。【０００６】  請求項１の発明では、開口部を開閉する遮蔽材を備え、該遮蔽材を巻取りドラムで巻回する開閉機である。この巻取りドラムは、両端に支持軸を備え、該支持軸を開口部の両壁面に軸着して回転可能にし、開閉機の設置側の支持軸は開閉機の駆動力を伝達する伝達軸として備える。この伝達軸は、開閉機の出力軸の駆動力を連結可能にする連結手段を備える。この連結手段は、出力軸と伝達軸とを同心の同軸上に嵌着する手段（係合形状及び部材の介在）で連結し、壁面に固定する取付けブラケットに開閉機を取付ける構成とする。【０００７】  請求項２の発明では、請求項１の伝達軸は、巻取りドラムの端面から突出して、開閉機の出力軸を中空形状にして伝達軸と出力軸とを連結する構成とする。【０００８】  請求項３の発明では、請求項１の伝達軸は、巻取りドラムの端面を中空形状にして、開閉機の出力軸を突出させて伝達軸と出力軸とを連結する構成とする。【０００９】  請求項４の発明では、請求項１の取付けブラケットは、開口部の巻取りドラムの伝達軸と開閉機の出力軸と間に連結部材を介在して連結する構成である。
請求項５の発明では、請求項１の連結手段は、取付けブラケットに軸着された伝達軸と開閉機の出力軸とを同一方向にする連結部材を介在し、開閉機と取付けブラケットの固着間にも連結部材を介在して備え、該連結部材は両軸心を同一方向に形成する構造とする。
請求項６の発明では、請求項１の遮蔽材は、スラット又はシートにして、巻取りドラムで巻回させて開口部を上下動させる構造とする。【００１０】  請求項１の構成では、開口位置にスラット・シート等の遮蔽材を巻取りドラムに巻上げ・巻戻しして開閉する巻取りドラムを軸着する。この巻取りドラムは、両端を支える支持軸を備えている。この支持軸は、開口の両側の壁面に備えて回転するようにして、開閉機を設置する軸を伝達軸にして配置している。この伝達軸は、開閉機の出力軸の駆動力を伝達することができるように、軸形状を多角形または一部欠けた円・キー・止めねじ・セレーション・スプライン・締め付け管・摩擦円錐継手・ハブ・クラッチ・カップリング等の連結手段で伝達軸と出力軸を連結できるようにする。この連結は、巻取りドラムの伝達軸を軸着して、出力軸と同心の同軸上で短距離に連結することができ、取付けブラケットにより開閉機を壁面に容易に固定することができる作用がある。【００１１】  請求項２の構成では、この伝達軸は、凸状の軸であり、開閉機の出力軸を凹状の中空軸にして、伝達軸を出力軸に嵌め込むことで駆動力を伝達することができる作用がある。
請求項３の構成では、この伝達軸は、請求項３と逆の構造で、凹状の軸であり、開閉機の出力軸を凸状の中空軸にして、出力軸を伝達軸に嵌め込むことで駆動力を伝達することができる作用がある。【００１２】  請求項４の構成では、巻取りドラムの伝達軸と開閉機の出力軸とを同心に連結する連結手段は、ハブ・クラッチ・カップリング等を介在して、取付けブラケットに開閉機を固定することで、同一方向の軸心に伝達できる作用がある。
請求項５の構成では、開閉機の出力軸と取付けブラケットの伝達軸との間に連結手段のハブ・クラッチ・カップリングを介在して、開閉機のベース孔と取付けブラケットのブラケット孔の螺合位置にゴム・樹脂・ばね等の緩衝材の連結部材を介在することで、同心上に位置することができる作用がある。
請求項６の構成では、開閉機は、シャッターの材質をスラット材にする重量シャッターでも、シート材を採用する軽量シャッターにでも採用できる作用がある。
【発明の効果】
【００１３】  請求項１の発明では、開閉機の出力軸と巻取りドラムの伝達軸を同軸に摺動して連結するので、心出しも容易にでき、設置場所を省スペースにでき、取付けを速く容易に組み付けすることができ、伝達効率を高くできる効果がある。
請求項２の発明では、開閉機と巻取りドラムの連結を容易に接続することができる効果がある。【００１４】  請求項３の発明では、開閉機と巻取りドラムの連結を容易に接続することができる効果がある。
請求項４の発明では、開閉機の出力軸と巻取りドラムの伝達軸とに連結部材を介在することで、同心にすることが容易にできる効果がある。
請求項５の発明では、巻取りドラムの伝達軸と開閉機の出力軸とを同心にしてから螺合することで緩衝材の傾斜の調整と合わせて、より同心を容易に形成する効果がある。
請求項６の発明では、開閉機が大型機から小型機まで容易に設置することができる効果がある。
【図面の簡単な説明】
【００１５】
【図１】  開閉機を壁面に取付けた状態の正面図。
【図２】  巻取りドラムの伝達軸を支持するブラケットと開閉機の連結を示す正面図。
【図３】  巻取りドラムの凹部の伝達軸と開壁の凸部の出力軸を示す正面図。
【図４】  ブラケットに固定する開閉機と、出力軸に連結する伝達軸との連結手段を示す正面図。
【図５】  出力軸方向とモータ軸方向を平行に配置した開閉機を示す正面図。
【図６】  出力軸方向とモータ軸方向を直交に配置した開閉機を示す正面図。
【図７】  出力軸方向とモータ軸方向を同心に配置した開閉機を示す正面図。
【発明を実施するための形態】
【００１６】  本発明は、開口部１を遮蔽材８の上下動により開閉する開閉装置５を備え、この開閉装置５が開口部１の天井３に配置して、天井３の設置スペース４を少なくして、開閉機６の出力軸１２と巻取りドラム７の伝達軸１１との連結を容易にすることができる連結手段１６と連結部材１７を提供することで、開閉装置５の形成を早めることを目的にしている。
【００１７】  本発明の一実施形態を図示して説明する。
図１は、開閉装置５を示し、壁面２に備えられた透孔にして、この透孔を通路・室内等の出入口にする空間を開口部１として、この開口部１に遮蔽材８を天井３から吊下げて開閉可能にし、遮蔽材８の開閉を巻取りドラム７に巻上げ巻戻し動作で上下動による開口部１を開口したり閉鎖したりすることができる。開閉装置５は、開閉機６と巻取りドラム７と遮蔽材８により形成される。巻取りドラム７は、遮蔽材８を巻取り巻戻しすることができるよう、開口部１の天井３に回転可能に軸着している。遮蔽材８は、鋼板製のスラットでも、樹脂製のシートでも、網目、ブラインド形状のものでもよく、壁面２に立設したガイドレール９に案内されて上下動する。
【００１８】  巻取りドラム７は、円筒状のもので、端面の中心から支持軸１０と伝達軸１１を備え、軸受Ｋにより両端を支持されて、開閉機６の駆動回転を伝達されることで、回転して遮蔽材８を巻上げたり巻戻したりして開口部を開閉することができる。開閉機６は、電動モータ１３に変速機１４を接続して、駆動力を出力軸１２から伝達することができる。出力軸１２は、巻取りドラム７を回転する伝達軸１１に、同心にして同軸上に嵌着して連結して、電動モータ１３の駆動力を巻取りドラム７の回転力として伝達する。
【００１９】  出力軸１２と伝達軸１１との連結は、取付けブラケット１５に巻取りドラム７を軸着して、伝達軸１１の軸心上に重なって嵌着する連結手段を備える。連結手段は、出力軸１２と伝達軸１１との外周面が対称となるキー・セレーション・スプライン・軸断面異形状・圧接・圧着・ハブ・クラッチ・カップリング等により同軸で同心に連結する。キーは、パイプ形状の中空軸または円筒状の実質軸のどちらかを対称にする伝達軸１１と出力軸１２とにキー材を介在して嵌合するもので、同心上に連結することができる。
【００２０】  セレーションとスプラインは、伝達軸１１と出力軸１２に凹凸対称な形状にして、嵌合することで、同心上に連結することができる。軸断面異形状は、円断面の一部をカットした半月状・複数角状の凹凸対称な形状にして、嵌合することで、同心上に連結することができる。圧接は、伝達軸１１と出力軸１２をボルトにより締め付けたり、切れ目を軸方向に入れてバンドで締め付けたりして連結する。圧着は、凹凸をテーパー状にしてボルトで締め付けることで摩擦による連結をする。ハブは、連結部材でこの部材の係合により、例えば中空軸を異形状にして同異形状のハブを出力軸１２にキーで嵌着してから連結するようにしてもよい。クラッチ及びカップリングは、伝達軸１１と出力軸１２の軸上に嵌着することで同軸心にしてする。
【００２１】  図２は、開閉機６は、直交軸用のもので、出力軸１２を中空軸にして、伝達軸１１を突出軸にし、巻取りドラム７を支持軸１０と伝達軸１１をベアリング・メタル等の軸受Ｋにより水平に軸着され、伝達軸１１の軸受Ｋを取付けブラケット１５に固着して、伝達軸１１と出力軸１２を同心にするボルト等による螺合の締結とする。取付けブラケット１５は、鉛直面になるように壁面２に固着して、ブラケット孔１８と開閉機６のベース孔１９を直角方向に一致させ、この鉛直面に対して直角方向に伝達軸１１を突出させる。開閉機６の出力軸１２を伝達軸１１に嵌め込むことで同心になり、開閉機６のベース孔１９と取付けブラケット１５のブラケット孔１８を螺合することで同心になる。
【００２２】  図３は、一方側の巻取りドラム７の支持軸１０を壁面２に軸着して、他方側の伝達軸１１を巻取りドラム７の中心に内蔵する凹状の軸で、巻取りドラム７の外周面に軸受Ｋを備えた取付けブラケット１５を壁面２に固着している。開閉機６は、凹状の伝達軸１１に対称の連結手段１６の凸状の出力軸１２を備えて、巻取りドラム７の伝達軸１１と出力軸との軸心を同心に嵌着して連結して、取付けブラケット１５に螺合して固着する。この連結手段１６は、対称となるキー・セレーション・スプライン・軸断面異形状・圧接・圧着・ハブ・クラッチ・カップリング等により同軸で同心に連結して駆動回転を出力軸１２から伝達軸１１に伝達する。巻取りドラム７は、駆動回転を伝達されて遮蔽材８を巻上げたり巻戻したりすることで、開口部１の両側のガイドレール９に案内されて上下動することで開閉可能にする。
【００２３】  図４は、壁面２に鉛直に取付けブラケット１５を固定し、巻取りドラム７の伝達軸１１を水平に軸着して突出させ、伝達軸１１にハブ・クラッチ・カップリングを備え、開閉機６の中空軸の出力軸１２にハブ・クラッチ・カップリングを介在することで、ほぼ同心にすることができる。開閉機６を固着するには、取付けブラケット１５との接合面に連結部材１７である緩衝材のゴム・樹脂・コイルばね・皿ばね・トルクアーム等を介在して、ブラケット孔１８とベース孔１９と間に介在して、出力軸１２と伝達軸１１とを軸心上する傾斜に螺合させ、揺動可能に調整することで、伝達軸１１と出力軸１２との嵌合が同心・同軸の心出し調整を完了することができ、完了後にさらに増し締めすることで固着することができる。
【００２４】  図５は、開閉機６の変速機１４と電動モータ１３の位置を出力軸１２とモータ軸方向２０を同方向に連結手段１６を介して、伝達軸１１に連結して取付けブラケット１５に設置し、開閉機６の取付け面に電動モータ１３側として取付けブラケット１５に取付ける面とすることで、設置スペース４を開口部１のスペースと共有することで、小さいスペースにすることができる。
図６は、開閉機６の変速機１４と電動モータ１３のモータ軸方向２０と直交方向に連結手段１６で連結して、取付けブラケット１５に取付ける面をモータ軸方向２０と平行にして、設置スペース４をガイドレール９に沿った小さいスペースにすることができる
図７は、開閉機６の出力軸１２を突出させて、モータ軸方向２０と出力軸１２を同方向にして、取付けブラケット１５の凹状の伝達軸１１に連結手段１６により連結して、巻取りドラム７方向に設置スペース４を備え、水平方向から容易に取付けることができる。
【符号の説明】
【００２５】１    開口部
２    壁面
３    天井
４    設置スペース
５    開閉装置
６    開閉機
７    巻取りドラム
８    遮蔽材
９    ガイドレール
１０  支持軸
１１  伝達軸
１２  出力軸
１３  電動モータ
１４  変速機
１５  取付けブラケット
１６  連結手段
１７  連結部材
１８  ブラケット孔
１９  ベース孔
２０  モータ軸方向
Ｋ    軸受
【図１】
2014001613.tif 000003
【図２】
2014001613.tif 000004
【図３】
2014001613.tif 000005
【図４】
2014001613.tif 000006
【図５】
2014001613.tif 000007
【図６】
2014001613.tif 000008
【図７】
2014001613.tif 000009